(57)【特許請求の範囲】
【請求項１】
原稿を読み取る読取手段と、該読取手段が読み取った原稿の読取画像データを処理する処理手段と、該処理手段が処理した処理画像データを出力する出力手段とを備える画像処理装置において、
原稿の任意の複数の画像領域の指定を受け付ける受付手段と、
該受付手段が受け付けた複数の指定領域以外の領域における前記読取画像データの画素が無彩色か否かを判定する判定手段と
を備え、
該判定手段が無彩色と判定した場合に、前記処理手段は、前記複数の指定領域における前記読取画像データの有彩色の画素を無彩色に変換すべくなしてある
ことを特徴とする画像処理装置。
【請求項２】
前記読取手段は、複数枚の原稿を順次読み取り可能になしてあることを特徴とする請求項１に記載の画像処理装置。
【請求項３】
前記読取画像データを一又は複数記憶する読取画像データ記憶手段を更に備えることを特徴とする請求項１又は請求項２に記載の画像処理装置。
【請求項４】
前記指定領域を一又は複数記憶する指定領域記憶手段と、
該指定領域記憶手段に記憶してある指定領域を一又は複数選択する指定領域選択手段と
を更に備えることを特徴とする請求項１に記載の画像処理装置。
【請求項５】
請求項１乃至４のいずれかひとつに記載の画像処理装置と、
該画像処理装置の処理手段が処理した処理画像データに基づいて記録媒体に画像形成する画像形成手段と
を備えることを特徴とする画像形成装置。
【請求項６】
原稿を読み取り、読み取った原稿の読取画像データを処理する画像処理方法において、
原稿の任意の複数の画像領域の指定を受け付け、
受け付けた複数の指定領域以外の領域における前記読取画像データの画素が無彩色か否かを判定し、
無彩色と判定した場合に、前記複数の指定領域における前記読取画像データの有彩色の画素を無彩色に変換する
ことを特徴とする画像処理方法。
【発明の詳細な説明】
【技術分野】
【０００１】
本発明は、読み取った原稿の読取画像データを処理する画像処理方法及び画像処理装置、並びに該画像処理装置を備える画像形成装置に関し、より詳細には、カラー原稿の読取画像データにおける所定領域の画素の有彩色（カラー）出力を制限するための画像処理方法及び画像処理装置、並びに該画像処理装置を備え、有彩色（カラー）の画像形成を制限する画像形成装置に関する。
【背景技術】
【０００２】
従来の画像処理装置には、読み取った原稿の読取画像データを画素単位で有彩色（カラー）か無彩色（白黒）かを判定することにより、読み取った原稿がカラー原稿か白黒原稿かを判別することができるものがある（例えば、特許文献１参照）。
【０００３】
また、従来の画像形成装置には、読み取った原稿の読取画像データをカラー又は白黒のいずれで画像形成するかの切換機能を備えるものがある。その中には、カラーで画像形成する状態において、カラー原稿及び白黒原稿が混在した複数枚の原稿を順次読み取り、読取画像データが有彩色（カラー）から無彩色（白黒）へ変化した場合に、無彩色の読取画像データをそのままカラーで画像形成する場合の不利益と、無彩色の読取画像データを白黒に切り換えて画像形成する場合の不利益とを比較し、いずれの不利益の方が少ないかの判定結果に基づいて、無彩色の読取画像データをそのままカラーで画像形成するか、又は白黒に切り換えて画像形成することにより、カラー原稿及び白黒原稿の混在状態に関わらず、感光体ドラム又はトナー等の消耗品の寿命を延ばし、利用効率を高めることができる画像形成装置がある（例えば、特許文献２参照）。
【特許文献１】特開２００１−３６７５２号公報
【特許文献２】特開２０００−２９２６６号公報
【発明の開示】
【発明が解決しようとする課題】
【０００４】
ところが、カラー原稿であっても、その全体のほとんどが白黒で一部分のみがカラーの場合がある。例えば、社名若しくは社標といったロゴマークのみがカラーである文書原稿、又は背景マークのみがカラーであるプレゼンテーション用のスライドシート若しくはＯＨＰシート等が該当する。社内又は個人用途では、これらロゴマーク及び背景マークをカラー出力する利点はほとんどない。
【０００５】
しかしながら、特許文献１及び特許文献２のそれぞれに開示されている画像処理装置及び画像形成装置においては、カラー原稿か白黒原稿かの識別に、読取画像データの全体をそのまま判別対象とするため、本来カラー出力が不要な、一部分のみがカラーである原稿（以下、一部カラー原稿という）の読取画像データでさえもカラー原稿と判別し、カラー出力する。そのため、出力画像データ量が増加するという問題だけでなく、不要なカラー出力により画像形成コストの増加及び画像形成速度の低下を招くという問題がある。
【０００６】
本発明は斯かる問題に鑑みてなされたものであり、その目的とするところは、原稿の任意の複数の画像領域の指定を受け付け、受け付けた複数の指定領域以外の領域における前記読取画像データの画素が無彩色か否かを判定し、無彩色と判定した場合に、複数の指定領域における読取画像データの有彩色の画素を無彩色に変換することにより、読み取った原稿の適切なカラー原稿／白黒原稿判別を行うことができ、不要なカラー出力を制限し、出力画像データ量を低減することができる画像処理方法及び画像処理装置を提供することにある。
【０００９】
本発明の更に他の目的は、前記画像処理装置を備えることにより、カラートナー又はカラーインク等のカラー画像形成に係る消耗品の無駄な消費を防止して画像形成コストを低減することができるだけでなく、画像形成速度を向上することができる画像形成装置を提供することにある。
【課題を解決するための手段】
【００１０】
本発明に係る画像処理装置は、原稿を読み取る読取手段と、該読取手段が読み取った原稿の読取画像データを処理する処理手段と、該処理手段が処理した処理画像データを出力する出力手段とを備える画像処理装置において、原稿の任意の複数の画像領域の指定を受け付ける受付手段と、該受付手段が受け付けた複数の指定領域以外の領域における前記読取画像データの画素が無彩色か否かを判定する判定手段とを備え、該判定手段が無彩色と判定した場合に、前記処理手段は、前記複数の指定領域における前記読取画像データの有彩色の画素を無彩色に変換すべくなしてあることを特徴とする。
【００１７】
本発明に係る画像処理装置においては、前記読取手段は、複数枚の原稿を順次読み取り可能になしてあることを特徴とする。
【００１８】
本発明に係る画像処理装置においては、前記読取画像データを一又は複数記憶する読取画像データ記憶手段を更に備えることを特徴とする。
【００２３】
本発明に係る画像処理装置においては、前記指定領域を一又は複数記憶する指定領域記憶手段と、該指定領域記憶手段に記憶してある指定領域を一又は複数選択する指定領域選択手段とを更に備えることを特徴とする。
【００２５】
本発明に係る画像形成装置は、前記画像処理装置と、該画像処理装置の処理手段が処理した処理画像データに基づいて記録媒体に画像形成する画像形成手段とを備えることを特徴とする。
【００２６】
本発明に係る画像処理方法は、原稿を読み取り、読み取った原稿の読取画像データを処理する画像処理方法において、原稿の任意の複数の画像領域の指定を受け付け、受け付けた複数の指定領域以外の領域における前記読取画像データの画素が無彩色か否かを判定し、無彩色と判定した場合に、前記複数の指定領域における前記読取画像データの有彩色の画素を無彩色に変換することを特徴とする。
【００２９】
本発明に係る画像処理方法及び画像処理装置にあっては、受付手段は使用者から原稿の任意の画像領域の指定を受け付け、判定手段は受付手段が受け付けた指定領域以外の領域における読取画像データの画素が無彩色か否かを判定し、判定手段が無彩色と判定した場合にのみ、処理手段は、指定領域における読取画像データの有彩色の画素を無彩色に変換する。
【００３０】
したがって、使用者が画像領域としてロゴマーク又は背景マークの領域を指定した場合、ロゴマーク又は背景マークのみがカラーである原稿（一部カラー原稿）については、読取画像データは、ロゴマーク又は背景マーク以外の画素が無彩色であるため、ロゴマーク又は背景マークの有彩色の画素を無彩色に変換した処理画像データを出力する。つまり、カラー出力が不要である一部カラー原稿を、適切に白黒原稿と判別し、読取画像データの全体を無彩色（白黒）として出力する。
【００３１】
これにより、ロゴマーク又は背景マークのみがカラーである原稿については、読取画像データのカラー出力が制限され、無彩色出力が増加し、出力画像データ量が低減する。
【００３２】
同様に、ロゴマーク又は背景マーク以外にもカラーの部分がある原稿（カラー原稿）については、読取画像データは、ロゴマーク及び背景マーク以外の画素が有彩色であるため、カラー原稿と判別され、ロゴマーク及び背景マークの有彩色の画素を無彩色に変換することなく、つまり読取画像データの全体をそのまま有彩色（カラー）として出力する。
【００５１】
本発明に係る画像処理装置にあっては、読取手段は、例えばセットした複数枚の原稿を連続して自動的に送る自動給紙装置（ＡＤＦ）を用いることにより、複数枚の原稿を順次読み取る。
【００５２】
これにより、複数枚の原稿の読み取りに係る作業効率が、１枚ずつ読み取る場合に比べて格段に向上する。
【００５３】
本発明に係る画像処理装置にあっては、読取画像データを一又は複数記憶する読取画像データ記憶手段を備えるため、たとえ複数枚の原稿を読み取る場合であっても、一度で読取操作を行え、作業効率が向上する。
【００６４】
本発明に係る画像処理装置にあっては、指定領域記憶手段は、指定領域（受付手段が受け付けた指定領域、及び／又は取得手段が取得した指定領域）を一又は複数記憶し、指定領域選択手段は指定領域記憶手段に記憶してある指定領域を一又は複数選択する。
【００６５】
これにより、指定領域を指定領域記憶手段に記憶させる操作を一度行うだけで、種々の原稿に対応する指定領域、又は一の原稿に対応する複数の指定領域が容易に、しかも何度でも選択される。
【００６９】
本発明に係る画像形成装置にあっては、前記画像処理装置を備え、画像形成手段は、処理手段が処理した処理画像データを記録媒体に画像形成する。
【００７０】
したがって、カラー出力が不要な、ロゴマーク又は背景マークのみがカラーである原稿（一部カラー原稿）については、処理画像データの全体が無彩色（白黒）化されているため、全体が無彩色（白黒）で画像形成される。
【００７１】
これにより、たとえ有彩色（カラー）で画像形成する場合においても、カラートナー又はカラーインク等のカラー画像形成に係る消耗品の無駄な消費を防止して画像形成コストを低減し、また、画像形成速度も向上する。
【発明の効果】
【００７２】
本発明によれば、原稿の任意の画像領域の指定を受け付け、受け付けた指定領域以外の領域における読取画像データの画素が無彩色か否かを判定し、無彩色と判定した場合にのみ、指定領域における読取画像データの有彩色の画素を無彩色に変換する。
【００７３】
したがって、使用者が画像領域としてロゴマーク又は背景マークの領域を指定した場合、本来カラー出力が不要な、ロゴマーク又は背景マークのみがカラーである原稿（一部カラー原稿）については、白黒原稿と判別することができ、読取画像データの全体のカラー出力が制限されて無彩色出力を増加することができるため、出力画像データ量を低減することができる。
【００７４】
しかも、出力画像データ量の低減に伴い、出力先装置へのデータ送信を高速化することができる。更には、出力先装置にて、たとえ有彩色（カラー）で画像形成させる場合においても、カラートナー又はカラーインク等のカラー画像形成に係る消耗品の無駄な消費を防止して画像形成コストの低減、及び画像形成速度の向上を図ることができる。
【００８６】
また、本発明によれば、複数枚の原稿を順次読み取るため、読み取りに係る作業効率を、１枚ずつ読み取る場合に比べて格段に向上することができる。
【００８７】
また、本発明によれば、読取画像データを一又は複数記憶する読取画像データ記憶手段を備えているため、たとえ複数枚の原稿を読み取る場合であっても、一度の読取操作を行うことができ、作業効率を向上することができる。
【００９３】
また、本発明によれば、指定領域を指定領域記憶手段に記憶させる操作を一度行うだけで、種々の原稿に対応する指定領域、又は一の原稿に対応する複数の指定領域が容易に、しかも何度でも選択することができる。
【００９６】
更に、本発明によれば、前記画像処理装置を備えているため、カラー出力が不要な、ロゴマーク又は背景マークのみがカラーである原稿（一部カラー原稿）については、処理画像データの全体が無彩色（白黒）化されているため、全体を無彩色（白黒）で画像形成することができる。
【００９７】
これにより、たとえ有彩色（カラー）で画像形成する場合においても、カラートナー又はカラーインク等のカラー画像形成に係る消耗品の無駄な消費を防止して画像形成コストを低減することができ、更に、画像形成速度も向上することができる。
【発明を実施するための最良の形態】
【００９８】
以下に、本発明をその実施の形態を示す図面に基づいて詳細に説明する。
【００９９】
（実施の形態１）
図１は本発明をスキャナ機能及びファクシミリ機能を有する複合機に適用した場合の実施の形態１に係る画像処理装置の構成を示すブロック図である。図において、１は装置全体の制御を行う制御部であり、ＭＰＵによって構成されている。制御部１には、バス２を介して、ＲＯＭ３、ＲＡＭ４、表示部５、操作部６、インターフェース部７、自動給紙装置８、読取部９、読取画像メモリ１０、複写画像メモリ１１、有彩色画像メモリ１２、指定領域メモリ１３、及び色情報差異許容範囲テーブルメモリ１４が接続されている。
【０１００】
ＲＯＭ３には、画像処理装置を動作させる制御プログラム及び各種データが記憶されており、制御部１は、ＲＯＭ３に記憶してある制御プログラムに従って画像処理装置の各部の動作を制御し、読取画像データの処理を実行し、また、処理画像データの出力制御も実行する。
【０１０１】
表示部５は、制御部１の制御に基づいて、画像処理装置の動作状態、及びＲＯＭ３に記憶してある各種メニューの表示を行う。操作部６は、表示部５の表示内容に従って使用者が画像処理装置を操作するためのファンクションキー、スタートキー、及びテンキー（図示せず）を有する。操作部６にて使用者から受け付けた種々の指示情報は、制御部１の制御に基づいてＲＡＭ４に記憶される。なお、表示部５及び操作部６は、両者を一体構成したタッチパネルであってもよい。
【０１０２】
インターフェース部７は、本発明の画像処理装置と外部装置（図示せず）とを接続して両装置間でデータの送受信を行うためのものであり、ＵＳＢ（Universal Serial Bus）、ＳＣＳＩ（Small Computer System Interface）、ＩＥＥＥ（Institute of Electrical and Electronics Engineer）１２８４、又はＩＥＥＥ１３９４、１０／１００ＢＡＳＥ−ＴＸ等のＥｔｈｅｒｎｅｔ（登録商標）等、及びモデムによって構成されている。
【０１０３】
自動給紙装置８は、制御部１の制御に基づいて、セットされた原稿を１枚ずつ自動的に読取部読９へ送る。
【０１０４】
読取部９は、原稿に光を照射する光源、受光部がリニア状（主走査方向）に並設したＣＣＤ（Charge Coupled Device）、及びＡＤ変換器（図示せず）を備え、光源及びＣＣＤは一体に構成されている。ＣＣＤの受光部にはカラーフィルタが規則的な順序で被せられており、ＣＣＤは受光部に当たった原稿の反射光から、カラーフィルタを介して原稿のＲ（Red）Ｇ（Green）Ｂ（Blue）それぞれの色情報の輝度を検出し、検出した光の輝度（明るさ）に応じた電荷量を電圧値として出力する。そして、ＡＤ変換器にてＣＣＤが出力した電圧値をデジタル信号に変換することにより、１ライン分のデジタル信号が得られる。読取部９は、制御部１の制御に基づいて、ＣＣＤを副走査方向（主走査方向と交差する方向）に移動（副走査）させて、このような一連の動作を繰り返し行うことにより、原稿１ページ分のデジタルの読取画像データを生成する。
【０１０５】
読取部９にて生成された原稿の読取画像データは、制御部１の制御に基づいて読取画像メモリ１０に記憶される。また、読取画像メモリ１０に記憶された読取画像データは更に、制御部１の制御に基づいて複写画像メモリ１１に記憶（複写）される。
【０１０６】
有彩色画像メモリ１２には、有彩色画像がデータ化された有彩色画像データが、該有彩色画像を有する原稿を読取部９にて読み取って生成することにより、又はコンピュータ（外部装置）からインターフェース部７を介してデータを受信することにより、制御部１の制御に基づいて記憶されている。
【０１０７】
指定領域メモリ１３には、原稿のロゴマーク又は背景マーク等の画像領域、及び有彩色画像データの有彩色画像領域を指定する矩形の座標データが、使用者が操作部６にて入力することにより、又はコンピュータ（外部装置）からインターフェース部７を介して受信することにより、制御部１の制御に基づいて記憶されている。
【０１０８】
色情報差異許容範囲テーブルメモリ１４には、読取画像データと有彩色画像データとの画像の色情報の判定時に用いられる色情報差異許容範囲データが、使用者が操作部６にて入力することにより、又はコンピュータ（外部装置）からインターフェース部７を介して受信することにより、制御部１の制御に基づいて記憶されている。
【０１０９】
本発明の画像処理装置は、制御部１の制御に基づいて、インターフェース部７を介して、読取部９が原稿を読み取って生成した読取画像データの画像処理結果をコンピュータ又は他のファクシミリ装置（外部装置）へ出力し、つまり送信し、また、コンピュータから各種データを受信する。
【０１１０】
以上の如き構成の画像処理装置において、原稿の読取画像データに対し、カラー出力が不要な部分をカラー判定から除き、読み取った原稿がカラー原稿か白黒原稿かを判別し、判別した結果に基づいて行う読取画像データの処理方法及び出力方法について説明する。なお、実施の形態１においては、読み取る原稿はプレゼンテーションシートであるとして説明する。
【０１１１】
図２及び図３は本発明の実施の形態１に係るカラー原稿／白黒原稿を判別するための指定領域／読取画像データ／出力画像データの関係を示した説明図である。なお、図中、カラー（有彩色）の部分は斜線にて示す（以下、同様とする）。
【０１１２】
図４は図２及び図３の読取画像データのカラー出力が不要な領域を指定する指定領域の座標データを説明する図であり、（ａ）は読取画像データ上の座標であり、（ｂ）は（ａ）の座標データを指定領域メモリ１３に記憶している状態を示す。図４に示すように指定領域は、指定領域毎に指定領域の数を示すカウンタＮ（Ｎ＝１，２）と対応付けて、開始座標（Xstart,Ystart）及び終了座標（Xend,Yend）にて囲まれる矩形の座標データとして、原稿の画像処理に先立って、使用者が操作部６にて入力することにより、又はコンピュータ（外部装置）からインターフェース部７を介して受信することにより指定領域メモリ１３に記憶しておく。なお、Xstart及びXend、並びにYstart及びYendは、読取画像データの主走査方向及び副走査方向における座標（Xcount,Ycount）である（以下、同様とする）。
【０１１３】
以上のように指定領域を登録した後、原稿の画像処理を行う。図５は本発明の実施の形態１に係る画像処理装置の制御部１による読取画像データ処理及び処理画像データ出力の手順を示すフローチャートである。
【０１１４】
まず制御部１は、指定領域メモリ１３に記憶してある指定領域の一覧を表示部５に表示し（Ｓ１）、操作部６にて入力された指定領域の指定をＲＡＭ４に記憶する（Ｓ２）。この場合、図４（ｂ）に示す指定領域１，２（Ｎ＝１，２）が指定されたものとする。
【０１１５】
次に制御部１は、原稿の読み取り開始の指示の入力として操作部６のスタートキーの押圧を監視する（Ｓ３）。操作部６のスタートキーが押圧されない場合（Ｓ３：ＮＯ）には、制御部１は押圧の監視を続行する。一方、押圧された場合（Ｓ３：ＹＥＳ）には、制御部１は、読取部９のＣＣＤを走査し（Ｓ４）、自動給紙装置８から送出され、読取部９にて読み取った原稿の読取画像データを読取画像メモリ１０に記憶し（Ｓ５）、更に読取画像メモリ１０に記憶した読取画像データを読取画像メモリ１１に複写する（Ｓ６）。
【０１１６】
続いて制御部１は、読取部９にて読み取っていない残りの原稿の有無を判定し（Ｓ７）、読み取っていない原稿があると判定した場合（Ｓ７：ＹＥＳ）には、制御部１はステップＳ４へ移行して、以降の処理を繰り返す。一方、読み取っていない原稿がないと判定した場合（Ｓ７：ＮＯ）には、複写画像メモリ１１に複写した読取画像データに対し、ステップＳ２にて指定された指定領域の画素を消去する（Ｓ８）。このように、指定領域の画素の消去は、複写画像メモリ１１に複写した読取画像データに対して行われるため、最終の出力画像データに影響を及ぼすことはない。
【０１１７】
次に制御部１は、複写画像メモリ１１における指定領域の画素が消去された画素消去画像データが無彩色であるか否か、つまり無彩色か有彩色かを判定する（Ｓ９）。ステップＳ９において、無彩色と判定した場合（Ｓ９：ＹＥＳ）、制御部１は、読み取った原稿を白黒原稿と判別し、読取画像メモリ１０に記憶してある読取画像データを、公知の技術を用いて無彩色に変換し（Ｓ１０）、更に無彩色に変換した処理画像データを無彩色として出力し（Ｓ１１）、処理を終了する。一方、ステップＳ９において、無彩色でない、つまり有彩色と判定した場合（Ｓ９：ＮＯ）、制御部１は、読み取った原稿をカラー原稿と判別し、読取画像メモリ１０に記憶してある読取画像データを処理を施すことなく、そのまま有彩色として出力し（Ｓ１２）、処理を終了する。
【０１１８】
以上のような手順により、カラー出力が不要な部分（ロゴマーク又は背景マーク）だけがカラーである原稿を、白黒原稿と判別させることができ、読取画像データの不要なカラー出力をなくすことができる。
【０１１９】
（実施の形態２）
実施の形態２においては、原稿の読取画像データに対し、カラー出力が不要な部分を無彩色化し、無彩色化した処理画像データに基づいて読み取った原稿がカラー原稿か白黒原稿かを判別し、判別した結果に基づいて行う読取画像データの処理方法及び出力方法について説明する。
【０１２０】
なお、実施の形態２における画像処理装置の構成は、実施の形態１と同様であるので、図１を用いて説明した画像処理装置の構成を参照するものとし、その説明を省略する。また、実施の形態２においても読み取る原稿は、実施の形態１と同様、プレゼンテーションシートであるとして説明する。
【０１２１】
図６及び図７は本発明の実施の形態２に係るカラー原稿／白黒原稿を判別するための指定領域／読取画像データ／出力画像データの関係を示した説明図である。なお、図６及び図７にて示すカラー出力の不要な領域を指定する指定領域は、実施の形態１と同様、図４に示すように、指定領域毎に矩形の座標データとして、原稿の画像処理に先立って使用者が操作部６にて入力することにより、又はコンピュータ（外部装置）からインターフェース部７を介して受信することにより指定領域メモリ１３に記憶しておく。
【０１２２】
以上のように指定領域を登録した後、原稿の画像処理を行う。図８は本発明の実施の形態２に係る画像処理装置の制御部１による読取画像データ処理及び処理画像データ出力の手順を示すフローチャートである。
【０１２３】
まず制御部１は、指定領域メモリ１３に記憶してある指定領域の一覧を表示部５に表示し（Ｓ２１）、操作部６にて入力された指定領域の指定をＲＡＭ４に記憶する（Ｓ２２）。この場合、図３（ｂ）に示す指定領域１，２（Ｎ＝１，２）が指定されたものとする。
【０１２４】
続いて制御部１は、原稿読取処理を行う（Ｓ２３）。以下、本発明の実施の形態２に係る原稿読取処理について説明する。図９は本発明の実施の形態２に係る画像処理装置の制御部１による原稿読取処理の手順を示すフローチャートであり、図８のフローチャートに係るサブルーチンである。
【０１２５】
まず制御部１は、図８に示すステップＳ２２の処理の後、原稿の読み取り開始の指示の入力として操作部６のスタートキーの押圧を監視する（Ｓ２０１）。操作部６のスタートキーが押圧されない場合（Ｓ２０１：ＮＯ）には、制御部１は押圧の監視を続行する。一方、押圧された場合（Ｓ２０１：ＹＥＳ）には、制御部１は、読取部９のＣＣＤを走査し（Ｓ２０２）、自動給紙装置８から送出され、読取部９にて読み取った原稿の読取画像データを読取画像メモリ１０に記憶する（Ｓ２０３）。
【０１２６】
続いて制御部１は、読取部９にて読み取っていない残りの原稿の有無を判定し（Ｓ２０４）、読み取っていない原稿があると判定した場合（Ｓ２０４：ＹＥＳ）には、制御部１はステップＳ２０２へ移行して、以降の処理を繰り返す。一方、読み取っていない原稿がないと判定した場合（Ｓ２０４：ＮＯ）には、図８のメインルーチンへ戻る。
【０１２７】
ここで図８のフローチャートに戻って、制御部１は、読取画像メモリ１０に記憶した読取画像データに対し、ステップＳ２２にて指定された指定領域の画素を、公知の技術を用いて無彩色に変換する（Ｓ２４）。
【０１２８】
続いて制御部１は、出力処理を行い（Ｓ２５）、処理を終了する。以下、本発明の実施の形態２に係る出力処理について説明する。図１０は本発明の実施の形態２に係る画像処理装置の制御部１による出力処理の手順を示すフローチャートであり、図８のフローチャートに係るサブルーチンである。
【０１２９】
制御部１は、図８に示すステップＳ２４の処理の後、読取画像メモリ１０に記憶してある処理画像データが無彩色であるか否か、つまり無彩色か有彩色かを判定する（Ｓ３０１）。ステップＳ３０１において、無彩色と判定した場合（Ｓ３０１：ＹＥＳ）、制御部１は、読み取った原稿を白黒原稿と判別し、読取画像メモリ１０に記憶してある処理画像データを無彩色として出力する（Ｓ３０２）。一方、ステップＳ３０１において、無彩色でない、つまり有彩色と判定した場合（Ｓ３０１：ＮＯ）、制御部１は、読み取った原稿をカラー原稿と判別し、読取画像メモリ１０に記憶してある処理画像データを有彩色として出力する（Ｓ３０３）。
【０１３０】
以上のような手順により、カラー出力が不要な部分（ロゴマーク又は背景マーク）を無彩色化させておき、その後、読み取った原稿がカラー原稿か白黒原稿かを判別させることで、たとえカラー原稿と判別しても、カラー出力が不要な部分は無彩色となるため、カラー出力を制限することができる。
【０１３１】
（実施の形態３）
実施の形態３においては、カラー出力が不要な部分のみを厳密に画素単位で無彩色化させるべく、その部分の参照となる有彩色画像データを別途用意しておき、読取画像データと有彩色画像データとを比較することで、無彩色化処理を正確に行う読取画像データの処理方法及び出力方法について説明する。
【０１３２】
なお、実施の形態３における画像処理装置の構成は、実施の形態１と同様であるので、図１を用いて説明した画像処理装置の構成を参照するものとし、その説明を省略する。また、実施の形態３においても読み取る原稿は、実施の形態１と同様、プレゼンテーションシートであるとして説明する。
【０１３３】
図１１及び図１２は本発明の実施の形態３に係るカラー原稿／白黒原稿を判別するための有彩色画像データ／読取画像データ／出力画像データの関係を示した説明図である。図１１及び図１２に示す読取画像データから分るように、読み取った原稿にはカラー出力が不要な背景マークに自動車の画像が重複している。この自動車の画像がカラーである場合は、背景マークを除いて自動車の画像をカラー出力する必要がある。
【０１３４】
ここで、カラー出力を制限するための有彩色画像を有する原稿（以下、有彩色画像原稿という）を読取部９により読み取って生成した読取画像データを有彩色画像データとして有彩色画像メモリ１２へ記憶する手順を説明する。図１３は本発明の実施の形態３に係る画像処理装置の制御部１による有彩色画像データの登録手順の処理を示すフローチャートである。
【０１３５】
まず制御部１は、有彩色画像データ登録用の画面を表示部５に表示し（Ｓ３１）、次いで原稿の読み取り開始の指示の入力として操作部６のスタートキーの押圧を監視する（Ｓ３２）。操作部６のスタートキーが押圧されない場合（Ｓ３２：ＮＯ）には、制御部１は、押圧の監視を続行する。一方、押圧された場合（Ｓ３２：ＹＥＳ）には、制御部１は、読取部９のＣＣＤを走査する（Ｓ３３）。
【０１３６】
続いて制御部１は、有彩色画像データの数を示すカウンタＭを１に設定し（Ｓ３４）、Ｍ番目の有彩色画像データが有彩色画像メモリ１２に記憶されているか否かを判定する（Ｓ３５）。ステップＳ３５において、記憶されていると判定した場合（Ｓ３５：ＹＥＳ）、制御部１は、カウンタＭを１増加させ（Ｓ３６）、ステップＳ３５へ移行し、以降の処理を繰り返す。一方、ステップＳ３５において、記憶されていないと判定した場合（Ｓ３５：ＮＯ）、制御部１は、ステップＳ３３にて読み取って生成した有彩色画像原稿の有彩色画像データを、カウンタＭの数値に対応付けて有彩色画像データＭとして有彩色画像メモリ１２に記憶する（Ｓ３７）。
【０１３７】
次に制御部１は、登録継続用の画面を表示部５に表示し（Ｓ３８）、操作部６のファンクションキーの押圧に基づいて、登録を継続するか否かを判定する（Ｓ３９）。ステップＳ３９において、登録を継続すると判定した場合（Ｓ３９：ＹＥＳ）、制御部１は、ステップＳ３６へ移行し、以降の処理を繰り返す。一方、ステップＳ３９において、登録を継続しないと判定した場合（Ｓ３９：ＮＯ）、制御部１は処理を終了する。
【０１３８】
以上のような手順によって有彩色画像メモリ１２に記憶した有彩色画像データを図１４に示す。図１４にて示す有彩色画像データ１（Ｍ＝１）は、ロゴマークを有する原稿を読み取って生成したものであり、有彩色画像データ２（Ｍ＝２）が図１１及び図１２に示す有彩色画像データに対応する。
【０１３９】
なお、ここでは有彩色画像原稿を読み取ることにより有彩色画像データを登録したが、前述したように、コンピュータ（外部装置）からインターフェース部７を介して有彩色画像データを受信することにより登録してもよいことは勿論である。
【０１４０】
以上のように有彩色画像データを登録した後、原稿の画像処理を行う。図１５は本発明の実施の形態３に係る画像処理装置の制御部１による読取画像データ処理及び処理画像データ出力の手順を示すフローチャートである。
【０１４１】
まず制御部１は、有彩色画像メモリ１２に記憶してある有彩色画像データの一覧を表示部５に表示し（Ｓ４１）、操作部６にて入力された有彩色画像データの指定をＲＡＭ４受に記憶する（Ｓ４２）。この場合、図１１及び図１２に示す有彩色画像データ（図１４においては有彩色画像データ２）が指定されたものとする。
【０１４２】
次に制御部１は、図９にて示したサブルーチンの原稿読取処理を行い（Ｓ２３）、画像処理を行う（Ｓ４３）。以下、本発明の実施の形態３に係る画像処理について説明する。図１６は本発明の実施の形態３に係る画像処理装置の制御部１による画像処理の手順を示すフローチャートであり、図１５のフローチャートに係るサブルーチンである。
【０１４３】
まず制御部１は、原稿読取処理（Ｓ２３）の後、読取画像データの副走査方向における画素の座標を示すドットカウンタYcountを１に設定し（Ｓ４０１）、次いで読取画像データの主走査方向における画素の座標を示すドットカウンタXcountを１に設定する（Ｓ４０２）。
【０１４４】
続いて制御部１は、色情報変換処理を行う（Ｓ４０３）。以下、本発明の実施の形態２に係る色情報変換処理について説明する。図１７は本発明の実施の形態３に係る画像処理装置の制御部１による色情報変換処理の手順を示すフローチャートであり、図１６のフローチャートに係るサブルーチンである。
【０１４５】
制御部１は、図１６に示すステップＳ４０２の処理の後、ステップＳ４２（図１５参照）にて指定された有彩色画像データの座標（Xcount，Ycount）の画素の色情報が有彩色か否かを判定する（Ｓ５０１）。ステップＳ５０１において、有彩色でないと判定した場合（Ｓ５０１：ＮＯ）、制御部１は図１６のサブルーチンへ戻る。
【０１４６】
ステップＳ５０１において、有彩色と判定した場合（Ｓ５０１：ＹＥＳ）、制御部１は、読取画像メモリ１０に記憶した読取画像データの座標（Xcount，Ycount）の画素の色情報が、有彩色画像データの座標（Xcount，Ycount）の画素の色情報と対応するか否かを判定する（Ｓ５０２）。
【０１４７】
ステップＳ５０２において、対応しないと判定した場合（Ｓ５０２：ＮＯ）、図１６のサブルーチンへ戻る。一方、ステップＳ５０２において、対応すると判定した場合（Ｓ５０２：ＹＥＳ）、制御部１は、読取画像データの座標（Xcount，Ycount）の有彩色の画素を、公知の技術を用いて無彩色に変換し（Ｓ５０５）、図１６のサブルーチンへ戻る。
【０１４８】
ここで図１６のフローチャートに戻って、制御部１は、ドットカウンタXcountが、主走査方向の最終端の座標Ｘであるか否かを判定する（Ｓ４０４）。ステップＳ４０４において、最終端の座標Ｘでないと判定した場合（Ｓ４０４：ＮＯ）、制御部１は、ドットカウンタXcountを１増加させ（Ｓ４０５）、ステップＳ４０３の色情報変換処理へ移行し、以降の処理を繰り返す。これにより、有彩色画像データの画素の色情報に対応する読取画像データの画素の色情報が、１ライン分、有彩色から無彩色に変換される。
【０１４９】
ステップＳ４０４において、最終端の座標Ｘであると判定した場合（Ｓ４０４：ＹＥＳ）、制御部１は、ドットカウンタYcountが、副走査方向の最終端の座標Ｙであるか否かを判定する（Ｓ４０６）。ステップＳ４０６において、最終端の座標Ｙでないと判定した場合（Ｓ４０６：ＮＯ）、制御部１は、ドットカウンタYcountを１増加させ（Ｓ４０７）、ステップＳ４０２へ移行し、以降の処理を繰り返す。
【０１５０】
ステップＳ４０６において、最終端の座標Ｙであると判定した場合（Ｓ４０６：ＹＥＳ）、図１５のメインルーチンへ戻る。これにより、有彩色画像データの画素の色情報に対応する読取画像データの画素の色情報が、１ページ分、有彩色から無彩色に変換される。
【０１５１】
ここで図１５のフローチャートに戻って、制御部１は、有彩色画像データの画素の色情報に対応する読取画像データの画素の色情報が、有彩色から無彩色に変換された処理画像データについて、図１０にて示したサブルーチンの出力処理を行い（Ｓ２５）、処理を終了する。
【０１５２】
以上のような手順により、カラー出力が不要な部分（ロゴマーク又は背景マーク）のみを画素単位で無彩色化させておき、その後、読み取った原稿がカラー原稿か白黒原稿かを判別させることで、たとえカラー原稿と判別しても、カラー出力が不要な部分は無彩色となるため、カラー出力を制限することができる。
【０１５３】
（実施の形態４）
実施の形態４においては、有彩色画像データの有彩色画像の領域を指定することにより、指定領域における読取画像データの画素の色情報が、有彩色画像データの画素の色情報と対応するか否かの判定をドット単位、つまり画素単位で行い、対応すると判定した画素の無彩色化処理を行う読取画像データの処理方法及び出力方法について説明する。
【０１５４】
なお、実施の形態４における画像処理装置の構成は、実施の形態１と同様であるので、図１を用いて説明した画像処理装置の構成を参照するものとし、その説明を省略する。また、実施の形態４においても読み取る原稿は、実施の形態１と同様、プレゼンテーションシートであるとして説明する。
【０１５５】
図１８及び図１９は本発明の実施の形態４に係るカラー原稿／白黒原稿を判別するための有彩色画像データ＋指定領域／読取画像データ／出力画像データの関係を示した説明図である。以下、図１８及び図１９に示す有彩色画像データ及び指定領域を、有彩色画像データに指定領域を対応付けて有彩色画像メモリ１２及び指定領域メモリ１３へ記憶する手順を説明する。
【０１５６】
図２０は本発明の実施の形態４に係る画像処理装置の制御部１による有彩色画像データ及び指定領域の登録手順の処理を示すフローチャートである。
【０１５７】
まず制御部１は、有彩色画像データ及び指定領域登録用の画面を表示部５に表示し（Ｓ５１）、次いで原稿の読み取り開始の指示の入力として操作部６のスタートキーの押圧を監視する（Ｓ５２）。操作部６のスタートキーが押圧されない場合（Ｓ５２：ＮＯ）には、制御部１は、押圧の監視を続行する。一方、押圧された場合（Ｓ５２：ＹＥＳ）には、制御部１は、読取部９のＣＣＤを走査する（Ｓ５３）。
【０１５８】
続いて制御部１は、有彩色画像データの数を示すカウンタＭを１に設定し（Ｓ５４）、Ｍ番目の有彩色画像データが有彩色画像メモリ１２に記憶されているか否かを判定する（Ｓ５５）。ステップＳ５５において、記憶されていると判定した場合（Ｓ５５：ＹＥＳ）、制御部１は、カウンタＭを１増加させ（Ｓ５６）、ステップＳ５５へ移行し、以降の処理を繰り返す。一方、ステップＳ５５において、記憶されていないと判定した場合（Ｓ５５：ＮＯ）、制御部１は、ステップＳ５３にて読み取って生成した有彩色画像原稿の有彩色画像データを解読し、画像領域を示す矩形座標（開始座標（Xstart,Ystart）及び終了座標（Xend,Yend））を指定領域として、有彩色画像の形状又は個数に基づいてＮ個（Ｎ＝１，２，３…）、表示部５に一覧表示する（Ｓ５７）。
【０１５９】
続いて制御部１は、操作部６のファンクションキーの押圧に基づいて、指定領域を確定するか否かを判定する（Ｓ５８）。ステップＳ５８において、指定領域を確定すると判定した場合（Ｓ５８：ＹＥＳ）、制御部１は、後述するステップＳ６０へ移行し、以降の処理を繰り返す。一方、ステップＳ５８において、指定領域を確定しないと判定した場合（Ｓ５８：ＮＯ）、制御部１は、操作部６のファンクションキー及びテンキーにより、使用者からの指定領域の入力を受け付ける（Ｓ５９）。このとき使用者は、表示部５に表示されたＮ個分の指定領域の内、任意の指定領域について、有彩色画像の輪郭により近づくように（つまり、矩形領域の面積が小さくなるように）、座標の数値を操作部６にて入力する。これにより、Ｎ個の指定領域が確定される。
【０１６０】
続いて制御部１は、ステップＳ５３にて読み取って生成した有彩色画像原稿の有彩色画像データを、カウンタＭの数値に対応付けて有彩色画像データＭとし、更に有彩色画像データＭ毎にＮ個の指定領域を対応付けて、有彩色画像データ及び指定領域をそれぞれ、有彩色画像メモリ１２及び指定領域メモリ１３に記憶する（Ｓ６０）。
【０１６１】
次に制御部１は、登録継続用の画面を表示部５に表示し（Ｓ６１）、操作部６のファンクションキーの押圧に基づいて、登録を継続するか否かを判定する（Ｓ６２）。ステップＳ６２において、登録を継続すると判定した場合（Ｓ６２：ＹＥＳ）、制御部１は、ステップＳ５６へ移行し、以降の処理を繰り返す。一方、ステップＳ６２において、登録を継続しないと判定した場合（Ｓ６２：ＮＯ）、制御部１は処理を終了する。
【０１６２】
以上のような手順によって有彩色画像メモリ１２及び指定領域メモリ１３に記憶した有彩色画像データ及び指定領域を図２１に示す。図２１にて示す有彩色画像データ１（Ｍ＝１）は、ロゴマークを有する原稿を読み取って生成したものであり、有彩色画像データ２（Ｍ＝２）が図１８及び図１９に示す有彩色画像データに対応する。
【０１６３】
なお、ここでは有彩色画像原稿を読み取ることにより、有彩色画像データ及び指定領域データを登録したが、前述したように、コンピュータ（外部装置）からインターフェース部７を介して有彩色画像データ及び指定領域を受信することにより登録してもよいことは勿論である。
【０１６４】
以上のように有彩色画像データ及び指定領域を登録した後、原稿の画像処理を行う。図２２は本発明の実施の形態４に係る画像処理装置の制御部１による読取画像データ処理及び処理画像データ出力の手順を示すフローチャートである。
【０１６５】
まず制御部１は有彩色画像メモリ１２及び指定領域メモリ１３に記憶してある有彩色画像データ及び指定領域の一覧を表示部５に表示し（Ｓ７１）、操作部６にて入力された有彩色画像データ及び指定領域の指定をＲＡＭ４に記憶する（Ｓ７２）。この場合、図１８及び図１９に示す有彩色画像データ及び指定領域（図２１においては有彩色画像データ２（Ｍ＝２）、及び有彩色画像データ２の指定領域１，２（Ｎ＝１，２））が指定されたものとする。
【０１６６】
次に制御部１は、図９にて示したサブルーチンの原稿読取処理を行い（Ｓ２３）、画像処理を行う（Ｓ７３）。以下、本発明の実施の形態４に係る画像処理について説明する。図２３は本発明の実施の形態４に係る画像処理装置の制御部１による画像処理の手順を示すフローチャートであり、図２２のフローチャートに係るサブルーチンである。
【０１６７】
まず制御部１は、原稿読取処理（Ｓ２３）の後、有彩色出力をさせない指定領域を示すカウンタＮを１に設定する（Ｓ６０１）。次に制御部１は、ステップＳ７２（図２２参照）にて指定された有彩色画像データに対応する指定領域Ｎの座標データを取り出し、指定領域Ｎの副走査方向における画素の座標を示すドットカウンタYcountをYstartに設定し（Ｓ６０２）、指定領域Ｎの主走査方向における画素の座標を示すドットカウンタXcountをXstartに設定し（Ｓ６０３）、図１７にて示したサブルーチンの色情報変換処理を行う（Ｓ４０３）。
【０１６８】
次に制御部１は、色情報変換処理（Ｓ４０３）の後、ドットカウンタXcountが、主走査方向の最終座標Xendであるか否かを判定する（Ｓ６０４）。ステップＳ６０４において、最終座標Xendでないと判定した場合（Ｓ６０４：ＮＯ）、制御部１は、ドットカウンタXcountを１増加させ（Ｓ６０５）、ステップＳ４０３の色情報変換処理へ移行し、以降の処理を繰り返す。これにより、指定領域Ｎにおける有彩色画像データの画素の色情報に対応する読取画像データの画素の色情報が、１ライン分、有彩色から無彩色に変換される。一方、ステップＳ６０４において、最終座標Xendであると判定した場合（Ｓ６０４：ＹＥＳ）、制御部１は、ドットカウンタYcountが、副走査方向の最終座標Yendであるか否かを判定する（Ｓ６０６）。
【０１６９】
ステップＳ６０６において、最終座標Yendでないと判定した場合（Ｓ６０６：ＮＯ）、制御部１は、ドットカウンタYcountを１増加させ（Ｓ６０７）、ステップＳ６０３へ移行し、以降の処理を繰り返す。これにより、指定領域Ｎにおける有彩色画像データの画素の色情報に対応する読取画像データの画素の色情報が、全て有彩色から無彩色に変換される。
【０１７０】
ステップＳ６０６において、最終座標Yendであると判定した場合（Ｓ６０６：ＹＥＳ）、制御部１は、有彩色出力をさせない指定領域を示すカウンタＮを１増加させ（Ｓ６０８）、ステップＳ７２（図２２参照）にて指定された有彩色画像データに対応する指定領域Ｎが指定領域メモリ１３に記憶されているか否かを判定する（Ｓ６０９）。ステップＳ６０９において、記憶されていると判定した場合（Ｓ６０９：ＹＥＳ）、制御部１はステップＳ６０２へ移行し、以降の処理を繰り返す。一方、ステップＳ６０９において、記憶されていないと判定した場合（Ｓ６０９：ＮＯ）、制御部１は、図２２のメインルーチンへ戻る。
【０１７１】
ここで図２２のフローチャートに戻って、制御部１は、有彩色画像データの画素の色情報に対応する読取画像データの画素の色情報が、有彩色から無彩色に変換された処理画像データについて、図１０にて示したサブルーチンの出力処理を行い（Ｓ２５）、処理を終了する。
【０１７２】
以上のような手順により、指定領域内のカラー出力が不要な部分（ロゴマーク又は背景マーク）のみを画素単位で、しかも短時間で無彩色化させることができるため、その後、読み取った原稿がカラー原稿か白黒原稿かの判別も短時間で行える。また、実施の形態３と同様、たとえカラー原稿と判別しても、カラー出力が不要な部分は無彩色となるため、カラー出力を制限することができる。
【０１７３】
（実施の形態５）
実施の形態５においては、有彩色画像データに位置決め記号を付加しておき、原稿にも有彩色画像データの位置決め記号と同じ位置決め記号を対応する位置に付加しておき、原稿を読み取って生成した読取画像データの位置決め記号と、有彩色画像データの位置決め記号とを位置合せした状態で、有彩色画像データ及び読取画像データの両画素の色情報が対応するか否かの判定を画素単位で行い、対応すると判定した画素の無彩色化処理を行う読取画像データの処理方法及び出力方法について説明する。
【０１７４】
なお、実施の形態５における画像処理装置の構成は、実施の形態１と同様であるので、図１を用いて説明した画像処理装置の構成を参照するものとし、その説明を省略する。また、実施の形態５においても読み取る原稿は、実施の形態１と同様、プレゼンテーションシートであるとして説明する。
【０１７５】
図２４及び図２５は本発明の実施の形態５に係るカラー原稿／白黒原稿を判別するための有彩色画像データ＋位置決め記号／読取画像データ／出力画像データの関係を示した説明図である。図２４及び図２５に示すように、有彩色画像データの位置決め記号は「＋」マークであり、有彩色画像データの正面視左上角部及び同右下角部に存在する。位置決め記号を有する有彩色画像データは、原稿の画像処理に先立って前述したと同様の手順で、有彩色画像及び位置決め記号を有する原稿（有彩色画像原稿）を読取部９にて読み取って生成することにより、又はコンピュータ（外部装置）からインターフェース部７を介して受信することにより、有彩色画像メモリ１２に記憶しておく。
【０１７６】
以上のように位置決め記号を有する有彩色画像データを登録した後、原稿の画像処理を行う。図２６は本発明の実施の形態５に係る画像処理装置の制御部１による読取画像データ処理及び処理画像データ出力の手順を示すフローチャートである。
【０１７７】
まず制御部１は、有彩色画像メモリ１２に記憶してある有彩色画像データの一覧を表示部５に表示し（Ｓ８１）、操作部６にて入力された有彩色画像データの指定をＲＡＭ４に記憶する（Ｓ８２）。
【０１７８】
次に制御部１は、図９にて示したサブルーチンの原稿読取処理（Ｓ２３）を行った後、読取画像メモリ１０に記憶されている読取画像データから、ステップＳ８２にて指定された有彩色画像データの位置決め記号と同じ位置決め記号を抽出する（Ｓ８３）。続いて制御部１は、有彩色画像データの位置決め記号と読取画像データの位置決め記号との位置合せを行う（Ｓ８４）。これにより、読取画像データの位置ズレ又は回転ズレが修正される。
【０１７９】
次に制御部１は、図１６にて示したサブルーチンの画像処理（Ｓ４３）を行った後、読取画像メモリ１０に記憶さている読取画像データの位置決め記号を消去する（Ｓ８５）。続いて制御部１は、有彩色画像データの画素の色情報に対応する読取画像データの画素の色情報が、有彩色から無彩色に変換され、更に位置決め記号が消去された処理画像データについて、図１０にて示したサブルーチンの出力処理を行い（Ｓ２５）、処理を終了する。
【０１８０】
以上のような手順により、原稿のこれらのずれ又は回転に依存することなく、読取画像データと有彩色画像データとを正しく位置合せした状態で、読取画像データ及び有彩色画像データの両画素の色情報が対応するか否かの判定を画素単位で正確に行うことができる。
【０１８１】
なお、実施の形態５においては、有彩色画像データ及び読取画像データの両画像データを位置合わせした状態で、両画像データの全画素について色情報が対応するか否かの判定を行っているが、実施の形態４のように、有彩色画像データの有彩色画像の領域を指定し、指定領域における読取画像データの画素の色情報が、有彩色画像データの画素の色情報と対応するか否かを判定するようにしてもよいことは勿論である。この場合、図１６にて示すステップＳ４３の画像処理を、図２３にて示すステップＳ７３の画像処理に変更すればよい。
【０１８２】
（実施の形態６）
実施の形態６においては、原稿の画像の実際の色に対して読取画像データの画素の色情報に差異が生じる場合でも、読取画像データの画素の色情報と、有彩色画像データの画素の色情報との差異が所定の範囲内であるか否かを判定し、所定の範囲内の差異であると判定した場合に読取画像データの画素の色情報が、有彩色画像データの画素の色情報と対応するとみなし、対応するとみなした画素の無彩色化処理を行う読取画像データの処理方法及び出力方法について説明する。
【０１８３】
なお、実施の形態６における画像処理装置の構成は、実施の形態１と同様であるので、図１を用いて説明した画像処理装置の構成を参照するものとし、その説明を省略する。また、実施の形態６では、図２４乃至図２６を用いて説明する。
【０１８４】
図２７は色情報差異許容範囲テーブルメモリに色情報差異許容範囲データを記憶している状態を示す図である。図２７に示す色情報差異許容範囲データは、原稿の画像処理に先立って、使用者が操作部６にて入力することにより、又はコンピュータ（外部装置）からインターフェース部７を介して受信することにより、色情報差異許容範囲テーブルメモリ１４に記憶しておく。有彩色画像データに対し、読取画像データが色情報差異許容範囲内であれば、両画素の色情報が対応するとみなして、読取画像データの有彩色の画素を無彩色に変換することにより、色情報の差異問題を回避することができる。
【０１８５】
読取画像データ及び有彩色画像データの同位置（同座標）における色情報をそれぞれＲＧＢ成分で、Rg／Gg／Bg、及びRf／Gf／Bfで表すとすると、図２７に示す色情報差異許容範囲データの値を用い、((Rf-10)≦Rg≦(Rf+10))and((Gf-10)≦Gg≦(Gf+10))and((Bf-5)≦Bg≦(Bf+5))を満足する場合は、両画素の色情報が対応するとみなして、読取画像データの有彩色の画素を無彩色に変換し、満足しない場合は、両画素の色情報は対応しないとみなして、読取画像データの画素の色情報を変換しない。
【０１８６】
なお、実施の形態６は図２４乃至図２６を参照するため、原稿の画像処理については、以下、図１７のステップＳ４０３の色情報変換処理の変形例について説明する。図２８は本発明の実施の形態６に係る画像処理装置の制御部１による色情報変換処理の手順を示すフローチャートであり、図１６（又は図２３）のフローチャートに係るサブルーチンである。なお、図２８におけるステップＳ５０１及びＳ５０５はそれぞれ、図１７におけるステップＳ５０１及びＳ５０５と同じであるので、その説明を省略する。
【０１８７】
制御部１は、ステップＳ５０１の処理において、有彩色と判定した場合（Ｓ５０１：ＹＥＳ）、読取画像データの座標（Xcount,Ycount）の画素の色情報のＲＧＢ成分をそれぞれRg／Gg／Bg、有彩色画像データの座標（Xcount,Ycount）の画素の色情報のＲＧＢ成分をそれぞれRf／Gf／Bfとする（Ｓ５０３）。
【０１８８】
次に制御部１は、色情報Rg／Gg／Bg及びRf／Gf／Bfの差異が許容範囲内であるか否かを判定するため、色情報差異許容範囲テーブルメモリ１４に記憶されている色情報差異許容範囲データを参照する。例えば、ＲＧＢの各要素が０〜２５５の範囲で、Rg／Gg／BgがRf／Gf／Bfに対して、図２７に示す値Ｒ：−１０〜＋１０、Ｇ：−１０〜＋１０、Ｂ：−５〜＋５の範囲内であれば、両画素の色情報が対応するとみなして、読取画像データの有彩色の画素を無彩色に変換させるようにする。よって、制御部１は、このときの判別式((Rf-10)≦Rg≦(Rf+10))and((Gf-10)≦Gg≦(Gf+10))and((Bf-5)≦Bg≦(Bf+5))を満足する否かを判定する（Ｓ５０４）。
【０１８９】
ステップＳ５０４において、判別式を満足すると判定した場合（Ｓ５０４：ＹＥＳ）、制御部１は、ステップＳ５０５の処理を行った後、図１６（又は図２３）のサブルーチンへ戻る。一方、ステップＳ５０４において、判別式を満足しないと判定した場合（Ｓ５０４：ＮＯ）、制御部１は、図１６（又は図２３）のサブルーチンへ戻る。
【０１９０】
以上のような手順により、原稿の画像の実際の色に対して読取画像データの画素の色情報に差異が生じている場合にも、有彩色画像データの色情報に対応するとみなして、読取画像データの画素の色情報の無彩色への変換を柔軟に行うことができる。
【０１９１】
なお、図２７に示した色情報差異許容範囲データは、複数の有彩色画像データを登録している場合には、有彩色画像データ毎に設定してもよく、また、処理画像データの出力先装置が固定されている場合は、色情報差異許容範囲データの許容範囲を狭く設定し、出力先装置が複数ある場合には、許容範囲を広く設定するようにしてもよい。
【０１９２】
（実施の形態７）
実施の形態７においては、有彩色画像データの事前登録を行うことなく、原稿の読み取りの際に同時に有彩色画像データの登録を行うようにする読取画像データの処理方法及び出力方法について説明する。
【０１９３】
なお、実施の形態７における画像処理装置の構成は、実施の形態１と同様であるので、図１を用いて説明した画像処理装置の構成を参照するものとし、その説明を省略する。また、実施の形態７においては、読み取る原稿はロゴマークを有する文書原稿であるとして説明する。
【０１９４】
図２９は本発明の実施の形態７に係る原稿の読み取り順を説明する図である。図２９に示すように、使用者は、画像処理させたい原稿の前に有彩色画像原稿をセットし、有彩色画像原稿→原稿１ページ目→原稿２ページ目→・・・の順に読み取らせる。こうすることにより、画像処理装置側では、１枚目に読み取った原稿（有彩色画像原稿）の読取画像データを有彩色画像データと判断させ、２枚目以降に読み取った原稿の読取画像データを１ページ目以降の原稿の読取画像データと判断させるようにする。
【０１９５】
次に、原稿の画像処理について説明する。図３０は本発明の実施の形態７に係る画像処理装置の制御部１による読取画像データ処理及び処理画像データ出力の手順を示すフローチャートである。
【０１９６】
まず制御部１は、有彩色画像データの同時登録用の画面を表示部５に表示し（Ｓ９１）、次いで操作部６にて使用者からの有彩色画像データの同時登録の指示の入力を受け付ける（Ｓ９２）。
【０１９７】
次に制御部１は、原稿の読み取り開始の指示の入力として操作部６のスタートキーの押圧を監視する（Ｓ９３）。操作部６のスタートキーが押圧されない場合（Ｓ９３：ＮＯ）には、制御部１は押圧の監視を続行する。一方、押圧された場合（Ｓ９３：ＹＥＳ）、制御部１は、読取部９のＣＣＤを走査し（Ｓ９４）、１枚目の原稿（有彩色画像原稿）を読み取って生成した読取画像データを、（Ｍ番目の）有彩色画像データとして有彩色画像メモリ１２に記憶する（Ｓ９５）。
【０１９８】
続いて制御部１は、読取部９にて読み取っていない残りの原稿の有無を判定し（Ｓ９６）、読み取っていない原稿がないと判定した場合（Ｓ９６：ＮＯ）には、処理を終了する。つまりこの場合は、有彩色画像データの登録のみ行われる。一方、読み取っていない原稿があると判定した場合（Ｓ９６：ＹＥＳ）には、制御部１は、読取部９のＣＣＤを走査し（Ｓ９７）、２枚目の原稿を読み取って生成した読取画像データを読取画像メモリ１０に記憶する（Ｓ９８）。
【０１９９】
続いて制御部１は、読取部９にて読み取っていない残りの原稿の有無を判定し（Ｓ９９）、読み取っていない原稿があると判定した場合（Ｓ９９：ＹＥＳ）（つまり、３枚目以降の原稿がある場合）には、制御部１はステップＳ９７へ移行して、以降の処理を繰り返す。一方、読み取っていない原稿がないと判定した場合（Ｓ９９：ＮＯ）には、制御部１は、ステップＳ９５にて有彩色画像メモリ１２に記憶した有彩色画像データ、及びステップＳ９８にて読取画像メモリ１０に記憶した読取画像データについて、図１６にて示したサブルーチンの画像処理を行い（Ｓ４３）、次いで図１０にて示したサブルーチンの出力処理を行い（Ｓ２５）、処理を終了する。
【０２００】
以上のような手順により、有彩色画像データの事前登録が不要となり、また、複数枚の原稿を順次読み取らせるという一連の操作だけで、原稿に対応する有彩色画像データの選択も不要となるため、画像処理に係る操作性が向上する。
【０２０１】
（実施の形態８）
実施の形態８においては、予め登録してある有彩色画像データ及び指定領域を使用者が選択することなく、有彩色画像データ及び指定領域を選択するための有彩色画像データ識別符号及び指定領域識別符号（以下、識別符号という）を有する原稿を読み取って、この読み取りの際に同時に予め登録してある有彩色画像データ及び指定領域を、画像形成装置が自動的に選択する読取画像データの処理方法及び出力方法について説明する。
【０２０２】
なお、実施の形態８における画像処理装置の構成は、実施の形態１と同様であるので、図１を用いて説明した画像処理装置の構成を参照するものとし、その説明を省略する。また、実施の形態８においても読み取る原稿は、実施の形態１と同様、プレゼンテーションシートであるとして説明する。
【０２０３】
図３１及び図３２は本発明の実施の形態８に係るカラー原稿／白黒原稿を判別するための有彩色画像データ＋指定領域／読取画像データ／出力画像データの関係を示した説明図である。図３１及び図３２に示すように、読取画像データの正面視上部右側には、有彩色画像データ及び指定領域を選択するための識別符号（バーコード）が付加されている。また、図３１及び図３２に示す有彩色画像データ及び指定領域１，２は、実施の形態４の図１８及び図１９と同じであり、原稿の画像処理に先立って前述したと同様の手順で、識別符号と対応付けて図２１に示すように有彩色画像データ２（Ｍ＝２）、及び有彩色画像データ２の指定領域１，２（Ｎ＝１，２）として有彩色画像メモリ１２及び指定領域メモリ１３に記憶しておく。
【０２０４】
以上のように識別符号に対応付けて有彩色画像データ及び指定領域を登録した後、原稿の画像処理を行う。図３３は本発明の実施の形態８に係る画像処理装置の制御部１による読取画像データ処理及び処理画像データ出力の手順を示すフローチャートである。
【０２０５】
まず制御部１は、画像処理用の画面を表示部５に表示し（Ｓ１０１）、次いで操作部６にて使用者からの画像処理の指示の入力を受け付ける（Ｓ１０２）。
【０２０６】
次に制御部１は、図９にて示したサブルーチンの原稿読取処理（Ｓ２３）を行った後、読取画像メモリ１０に記憶されている読取画像データから、識別符号を抽出し（Ｓ１０３）、抽出した識別符号に基づいて有彩色画像メモリ１２及び指定領域メモリ１３に記憶してある有彩色画像データ及び指定領域を選択する（Ｓ１０４）。この場合、図３１及び図３２に示す有彩色画像データ及び指定領域（図２１においては有彩色画像データ２（Ｍ＝２）、及び有彩色画像データ２の指定領域１，２（Ｎ＝１，２））が選択されたものとする。続いて制御部１は、読取画像メモリ１０に記憶さている読取画像データの識別符号を消去する（Ｓ１０５）。
【０２０７】
次に制御部１は、図２３にて示したサブルーチンの画像処理（Ｓ７３）を行った後、有彩色画像データの画素の色情報に対応する読取画像データの画素の色情報が、有彩色から無彩色に変換され処理画像データについて、図１０にて示したサブルーチンの出力処理を行い（Ｓ２５）、処理を終了する。
【０２０８】
以上のような手順により、識別符号（有彩色画像データ識別符号及び指定領域識別符号）を有する原稿の読み取り操作を行うだけで、読取画像データから抽出した識別符号に基づいて、有彩色画像データメモリ１２及び指定領域メモリ１３に記憶してある有彩色画像データ及び指定領域を、画像形成装置側で自動的に選択することができ、使用者による有彩色画像データ及び指定領域の選択が不要となるため、操作性が向上する。
【０２０９】
（実施の形態９）
図３４は本発明をスキャナ機能、複写機能、プリント機能、及びファクシミリ機能を有する複合機に適用した場合の実施の形態９に係る画像形成装置の構成を示すブロック図である。図３４に示す画像形成装置は、図１に示す画像処理装置の構成に更に、画像形成部１５を、バス２を介して制御部１に接続した構成となっている。
【０２１０】
画像形成部１５は、例えば感光体ドラムを所定の電位に帯電する帯電器、制御部１が読取画像データを処理した処理画像データに応じてレーザ光を発して感光体ドラム表面に静電潜像を生成するレーザ書込装置、感光体ドラム表面に生成された静電潜像にトナーを供給して顕像化する現像器、感光体ドラム表面に形成されたトナー像を記録媒体（例えば用紙）上に転写する転写器等（図示せず）を備え、制御部１の制御に基づいて、電子写真方式にて処理画像データを記録媒体に画像形成する。その他の構成については、制御部１の制御も含めて図１に示す画像処理装置と同様であるので、同様の部分については同一の符号を付して説明を省略する。
【０２１１】
なお、実施の形態１乃至８における画像処理装置、及び実施の形態９における画像形成装置は、有彩色（カラー）出力又は画像形成を制限する指定領域を矩形としたが、これに限らず、円形（中心及び半径を指定）又は菱形等、種々の形状としてもよい。
【０２１２】
また、実施の形態１乃至８における画像処理装置、及び実施の形態９における画像形成装置は、自動給紙装置を備え、該自動給紙装置から送出された複数枚の原稿を順次読み取る構成としたが、これに限らず、複数枚の原稿を１枚ずつ読み取る構成としてもよい。
【０２１３】
また、実施の形態１乃至８における画像処理装置、及び実施の形態９における画像形成装置は、画素消去画像データ又は処理画像データが無彩色でない（つまり有彩色）と判定した場合、読み取った原稿をカラー原稿と判別し、画素消去画像データ又は処理画像データを有彩色として出力又は画像形成する構成としたが、これに限らず、画素消去画像データ又は処理画像データを無彩色でない（つまり有彩色）と判定した場合、更に全画素の色情報が単色（モノクロ）であるか否かを判定させ、判定の結果、単色（例えば青色一色）であった場合、読み取った原稿をカラー原稿と判別させずに白黒原稿と判別させ、画素消去画像データ又は処理画像データを無彩色として出力又は画像形成する構成としてもよい。
【０２１４】
更に、実施の形態１乃至８においては、本発明の画像処理装置をスキャナ機能、及びファクシミリ機能を有する複合機に適用したが、これに限らず、本発明の画像処理装置をスキャナ機能、及びファクシミリ機能の各機能を個別に有する装置、つまりスキャナ装置、又はファクシミリ装置（送信側）と独立した装置として適用してもよい。
【０２１５】
また、実施の形態９における画像形成装置は、画像形成部１５を電子写真方式により画像形成する構成としたが、これに限らず、インクジェット方式にて画像形成する構成としてもよい。
【０２１６】
また、実施の形態９における画像形成装置は、読取画像データを処理して画像形成したが、これに限らず、外部装置（例えば、コンピュータ、スキャナ装置、又はファクシミリ装置等）から受信した画像データを、読取画像データと同様の処理を施し、画像形成してもよい。
【０２１７】
更に、実施の形態９においては、本発明の画像形成装置をスキャナ機能、複写機能、プリント機能、及びファクシミリ機能を有する複合機に適用したが、これに限らず、本発明の画像処理装置を複写機能、プリント機能、及びファクシミリ機能の各機能を個別に有する装置、つまり複写機、プリンタ、又はファクシミリ装置（送／受信側）と独立した装置として適用してもよい。
【図面の簡単な説明】
【０２１８】
【図１】本発明をスキャナ機能及びファクシミリ機能を有する複合機に適用した場合の実施の形態１に係る画像処理装置の構成を示すブロック図である。
【図２】本発明の実施の形態１に係るカラー原稿／白黒原稿を判別するための指定領域／読取画像データ／出力画像データの関係を示した説明図である。
【図３】本発明の実施の形態１に係るカラー原稿／白黒原稿を判別するための指定領域／読取画像データ／出力画像データの関係を示した説明図である。
【図４】図２及び図３の読取画像データのカラー出力が不要な領域を指定する指定領域の座標データを説明する図である。
【図５】本発明の実施の形態１に係る画像処理装置の制御部による読取画像データ処理及び処理画像データ出力の手順を示すフローチャートである。
【図６】本発明の実施の形態２に係るカラー原稿／白黒原稿を判別するための指定領域／読取画像データ／出力画像データの関係を示した説明図である。
【図７】本発明の実施の形態２に係るカラー原稿／白黒原稿を判別するための指定領域／読取画像データ／出力画像データの関係を示した説明図である。
【図８】本発明の実施の形態２に係る画像処理装置の制御部による読取画像データ処理及び処理画像データ出力の手順を示すフローチャートである。
【図９】本発明の実施の形態２に係る画像処理装置の制御部による原稿読取処理の手順を示すフローチャートである。
【図１０】本発明の実施の形態２に係る画像処理装置の制御部による出力処理の手順を示すフローチャートである。
【図１１】本発明の実施の形態３に係るカラー原稿／白黒原稿を判別するための有彩色画像データ／読取画像データ／出力画像データの関係を示した説明図である。
【図１２】本発明の実施の形態３に係るカラー原稿／白黒原稿を判別するための有彩色画像データ／読取画像データ／出力画像データの関係を示した説明図である。
【図１３】本発明の実施の形態３に係る画像処理装置の制御部による有彩色画像データの登録手順の処理を示すフローチャートである。
【図１４】有彩色画像メモリに有彩色画像データを記憶している状態を示す図である。
【図１５】本発明の実施の形態３に係る画像処理装置の制御部による読取画像データ処理及び処理画像データ出力の手順を示すフローチャートである。
【図１６】本発明の実施の形態３に係る画像処理装置の制御部による画像処理の手順を示すフローチャートである。
【図１７】本発明の実施の形態３に係る画像処理装置の制御部による色情報変換処理の手順を示すフローチャートである。
【図１８】本発明の実施の形態４に係るカラー原稿／白黒原稿を判別するための有彩色画像データ＋指定領域／読取画像データ／出力画像データの関係を示した説明図である。
【図１９】本発明の実施の形態４に係るカラー原稿／白黒原稿を判別するための有彩色画像データ＋指定領域／読取画像データ／出力画像データの関係を示した説明図である。
【図２０】本発明の実施の形態４に係る画像処理装置の制御部による有彩色画像データ及び指定領域の登録手順の処理を示すフローチャートである。
【図２１】有彩色画像メモリ及び指定領域メモリに有彩色画像データ及び指定領域を記憶している状態を示す図である。
【図２２】本発明の実施の形態４に係る画像処理装置の制御部による読取画像データ処理及び処理画像データ出力の手順を示すフローチャートである。
【図２３】本発明の実施の形態４に係る画像処理装置の制御部による画像処理の手順を示すフローチャートである。
【図２４】本発明の実施の形態５に係るカラー原稿／白黒原稿を判別するための有彩色画像データ＋位置決め記号／読取画像データ／出力画像データの関係を示した説明図である。
【図２５】本発明の実施の形態５に係るカラー原稿／白黒原稿を判別するための有彩色画像データ＋位置決め記号／読取画像データ／出力画像データの関係を示した説明図である。
【図２６】本発明の実施の形態５に係る画像処理装置の制御部による読取画像データ処理及び処理画像データ出力の手順を示すフローチャートである。
【図２７】色情報差異許容範囲テーブルメモリに色情報差異許容範囲データを記憶している状態を示す図である。
【図２８】本発明の実施の形態６に係る画像処理装置の制御部による色情報変換処理の手順を示すフローチャートである。
【図２９】本発明の実施の形態７に係る原稿の読み取り順を説明する図である。
【図３０】本発明の実施の形態７に係る画像処理装置の制御部による読取画像データ処理及び処理画像データ出力の手順を示すフローチャートである。
【図３１】本発明の実施の形態８に係るカラー原稿／白黒原稿を判別するための有彩色画像データ＋指定領域／読取画像データ／出力画像データの関係を示した説明図である。
【図３２】本発明の実施の形態８に係るカラー原稿／白黒原稿を判別するための有彩色画像データ＋指定領域／読取画像データ／出力画像データの関係を示した説明図である。
【図３３】本発明の実施の形態８に係る画像処理装置の制御部による読取画像データ処理及び処理画像データ出力の手順を示すフローチャートである。
【図３４】本発明をスキャナ機能、複写機能、プリント機能、及びファクシミリ機能を有する複合機に適用した場合の実施の形態９に係る画像形成装置の構成を示すブロック図である。
【符号の説明】
【０２１９】
１  制御部
２  バス
３  ＲＯＭ
４  ＲＡＭ
５  表示部
６  操作部
７  インターフェース部
８  自動給紙装置
９  読取部
１０  読取画像メモリ
１１  複写画像メモリ
１２  有彩色画像メモリ
１３  指定領域メモリ
１４  色情報差異許容範囲テーブルメモリ
１５  画像形成部
【図１】
0003693666.tif 000002
【図２】
0003693666.tif 000003
【図３】
0003693666.tif 000004
【図４】
0003693666.tif 000005
【図５】
0003693666.tif 000006
【図６】
0003693666.tif 000007
【図７】
0003693666.tif 000008
【図８】
0003693666.tif 000009
【図９】
0003693666.tif 000010
【図１０】
0003693666.tif 000011
【図１１】
0003693666.tif 000012
【図１２】
0003693666.tif 000013
【図１３】
0003693666.tif 000014
【図１４】
0003693666.tif 000015
【図１５】
0003693666.tif 000016
【図１６】
0003693666.tif 000017
【図１７】
0003693666.tif 000018
【図１８】
0003693666.tif 000019
【図１９】
0003693666.tif 000020
【図２０】
0003693666.tif 000021
【図２１】
0003693666.tif 000022
【図２２】
0003693666.tif 000023
【図２３】
0003693666.tif 000024
【図２４】
0003693666.tif 000025
【図２５】
0003693666.tif 000026
【図２６】
0003693666.tif 000027
【図２７】
0003693666.tif 000028
【図２８】
0003693666.tif 000029
【図２９】
0003693666.tif 000030
【図３０】
0003693666.tif 000031
【図３１】
0003693666.tif 000032
【図３２】
0003693666.tif 000033
【図３３】
0003693666.tif 000034
【図３４】
0003693666.tif 000035